(57)【要約】      （修正有）【課題】ピンをなくし、全ての羽根の形状を同一とすることにより、製造コストを削減すると共に、組立を容易にする。【解決手段】複数の団扇状の羽根２を組合せてなり、それぞれの羽根に分解可能な扇子である。各羽根２は装飾板４と中骨３からなる。前記中骨３は、細長い中間部分３２と下端の要部分３３を有する。前記要部分３３は、正面側及び背面側に別の羽根の要部分と回動可能に係合する係合部を有し、この係合部における係合・分離により、ピンを使用しないでも係合・分離が可能である。【選択図】図２
2010115373.tif 000002
【特許請求の範囲】
【請求項１】
複数の団扇状の羽根（２）を組合せてなり、それぞれの羽根に分解可能な扇子（１）であって
各羽根（２）は装飾板（４）と中骨（３）からなり、
前記中骨（３）は、中間部分（３２）と下端の要部分（３３）を有し、
前記要部分（３３）は、正面側及び背面側に別の羽根の要部分と回動可能に係合する係合部を有し、この係合部における係合・分離により、ピンを使用しないでも係合・分離が可能であることを特徴とする分解可能な扇子。
【請求項２】
要部分（３３）の正面側及び背面側に設けられる、別の羽根の要部分と回動可能に係合する係合部が、要部分の正面側と背面側のそれぞれに設けられた直径の異なる開口（５１，５２）と、前記各開口（５１，５２）の周囲に設けられた円筒状の壁（５３，５６）からなり、各壁（５３，５６）同士が相互にはめ込み可能なものである請求項１記載の扇子。
【請求項３】
要部分（３３）の正面側及び背面側に設けられる、別の羽根の要部分と回動可能に係合する係合部が、要部分の正面側又は背面側の何れか一方に設けられる円板状の突起と、他面側に設けられる円筒状の窪みからなり、前記突起と前記窪み同士が相互にはめ込み可能なものである請求項１記載の扇子。
【請求項４】
前記各羽根（２）の回動範囲を制限するためにストッパ（５４，５５，５７，５８）が設けられている請求項１〜３の何れかに記載の扇子。
【請求項５】
前記ストッパが正方向用のもの（５５，５８）と逆回転用のもの（５４，５７）の２種類が設けられている請求項４記載の扇子。
【発明の詳細な説明】
【技術分野】
【０００１】
本発明は、分解すれば複数の団扇（うちわ）ともなりうる分解可能な扇子に関する。
【背景技術】
【０００２】
上記したタイプの扇子としては、下記特許文献１〜４の発明・考案が公知である。これらの扇子は複数の団扇状の羽根を組み合わせてなり、要（かなめ）部分を取り外し可能なピンで止めている。分解するときや組み立てるときにはそのピンを着脱するようにしている。このように扇子を分解することにより、それぞれの羽根を団扇として複数の人が使用したり、それぞれの羽根に印刷された写真や絵画を複数の人に分配したりすることができる。
【特許文献１】特開２００６−２６３０９７
【特許文献２】特開２００６−２８０８０１
【特許文献３】特開２００７−３２５７９２
【特許文献４】実用新案登録第３０２９８２６号
【発明の開示】
【発明が解決しようとする課題】
【０００３】
上記従来技術によれば、ピンを装着したり外したりする関係上、扇子を閉じたときに表又は裏となる最上位又は最下位の羽根の要部分は、それら以外の羽根の要部分とは形状が異なるものとならざるを得ない。そのため、羽根は、少なくとも２種類用意する必要がある。合成樹脂で羽根の中骨を製造するときには、当然金型も２種類必要となり、コストの上昇をもたらすことになる。さらに、組立段階で羽根の取付の順番を間違えないように気を配る必要もある。
【０００４】
本発明は、この問題を解決するために行われたものであり、ピンをなくし、全ての羽根の形状を同一とすることにより、製造コストを削減すると共に、組立を容易にすることを目的とする。
【課題を解決するための手段】
【０００５】
複数の団扇状の羽根を組合せてなる扇子であって、各羽根は装飾板と中骨からなり、前記中骨は、中間部分と下端の要部分を有し、前記要部分は、正面側及び背面側に別の羽根の要部分と回動可能に係合する係合部を有し、この係合部における係合・分離により、ピンを使用しないでも係合・分離が可能であることを特徴とする。
【発明の効果】
【０００６】
本発明では、ピンを使用しないので、ピンを省略することができる。また、そのため特別構造の要部分を有する最上位又は最下位の羽根が不要となるので、各羽根の形状をすべて同一とすることができる。したがって、製造コストが削減されると共に、組立段階で羽根の取付の順番を間違えることがなくなり、組立が容易なものとなった。
【発明を実施するための最良の形態】
【０００７】
各羽根は装飾板と中骨からなる。中骨は合成樹脂、装飾板は厚紙などで別々に製作して後で組み合わせるのが普通であるが、両者を合成樹脂で一体成形してもよい。装飾板の表面には、写真、絵画、模様、文字などが描かれるのが普通である。扇子は、通常５〜７枚の羽根を重ねることにより形成される。
【０００８】
要部分の正面側及び背面側に設けられる、別の羽根の要部分と回動可能に係合する係合部としては、次に記すように、様々な形態がありうる。
【０００９】
（１）要部分の正面側と背面側のそれぞれに設けられた直径の異なる開口と、前記各開口の周囲に設けられた円筒状の壁からなり、各壁同士が相互にはめ込み可能なものである構成。
【００１０】
（２）要部分の正面側又は背面側の何れか一方に設けられる円板状の突起と、他面側に設けられる円筒状の窪みからなり、前記突起と前記窪み同士が相互にはめ込み可能なものである構成。
【００１１】
各羽根は回動するので、その回動範囲を制限するためにストッパを設けるのが好ましい。ストッパは正方向用のものと逆回転用のものの２種類を設けるのが好ましい。
【実施例１】
【００１２】
以下、添付の図面に基づき、本発明の実施例を説明する。
【００１３】
図１は、この実施例１に係る扇子１の完成状態の正面図である。図２に示すように、団扇状の複数の羽根２に分解可能である。この実施例では６枚の羽根を使用している。
【００１４】
各羽根２は、中骨３と、中骨の先端に貼り付けたほぼ楕円状の装飾板４からなる。中骨３は、図３に示すように、円形状の先端部３１と、細長い中間部３２と、下端の要部分３３からなる。要部分３３を除き、ほぼ扁平体である。装飾板４は厚紙やプラスチックフィルム板からなり、表面に写真、絵画、模様、文字などが描かれるのが普通である。
【００１５】
要部分３３は、図３〜５に示すように、輪郭は円形で、中央に開口５が設けられている。この開口を形成する円筒状の壁は、途中で段差を有し、正面側開口５１と背面側開口５２とで直径が異なる。
【００１６】
正面（図３（ａ）、図４の左側）から見ると、開口５１の周囲が盛り上がって筒状の第１壁５３が形成され、開口の右下には三角状の第１隆起部５４が形成されている。さらに、中骨３の中間部３２下部には細長い矢尻のような第２隆起部５５が形成されている。
【００１７】
一方、背面（図３（ｂ）、図４の右側）から見ると、背面側開口５２の周囲には、正面側開口５１と第１壁５３の厚みを足した直径を有する第２壁５６が形成されている。また、第２壁５６に隣接して、要部分３３の右半円が第３隆起部５７を形成している。そして、この第３隆起部５７と接続して、中骨３の中間部３２下部には細長い矢尻のような第４隆起部５８が形成されている。第２隆起部５５と第４隆起部５８は対称的な位置に設けられている。
【００１８】
これらの羽根２を重ねるには、図４に示すように、ある羽根の第１壁５３を別の羽根の第２壁５６に強く押し付けてはめ込むだけでよく、従来技術で使用するようなピンは使用しない。６枚の羽根２を相互に接合した状態の断面を図３（ｃ）に示した。
【００１９】
各羽根２は要部分３３を中心として左右に回動が可能である。図５（ｂ）が扇子を閉じた状態であり、図５（ａ）は左側に開いた状態、図５（ｃ）は右側に開いた状態である。第２隆起部５５と第４隆起部５８は回動のストッパとして機能し、互いに衝突すれば、それ以上は進むことができない。回動角度は約２５度である。図５（ｄ）に示すように、第１隆起部５４と第３隆起部５７は逆方向の回転を阻止するストッパとして機能する。
【実施例２】
【００２０】
実施例１では、開口は正面側開口５１と背面側開口５２がつながり、貫通孔となっている。実施例２では、図示しないが、正面側開口を円板状の隆起部とし、背面側開口を円筒状の窪みとすることも可能である。この場合、開口は貫通孔ではなくなる。結合させるときには、この隆起部を窪みの中に強く押し付けてはめ込むだけでよい。
【図面の簡単な説明】
【００２１】
【図１】実施例１に係る扇子の完成状態の正面図である。
【図２】図１の扇子の分解斜視図である。
【図３】（ａ）は各羽根の正面図、（ｂ）は背面図、（ｃ）は６枚重ねた状態の断面図である。
【図４】２枚の羽根の拡大斜視図である。
【図５】要部分の回動状態を示す断面図である。
【符号の説明】
【００２２】
１     扇子
２     羽根
３     中骨
３１   先端部
３２   中間部
３３   要部分
４     装飾板
５     開口
５１   正面側開口
５２   背面側開口
５３   第１壁
５４   第１隆起部（ストッパ）
５５   第２隆起部（ストッパ）
５６   第２壁
５７   第３隆起部（ストッパ）
５８   第４隆起部（ストッパ）
【図１】
2010115373.tif 000003
【図２】
2010115373.tif 000004
【図３】
2010115373.tif 000005
【図４】
2010115373.tif 000006
【図５】
2010115373.tif 000007